(57)【要約】【課題】レンチ用ソケット等の四角凹部を備えた工具を整理収納するためのソケットホルダーにおいて、結合ピンを装着したソケットを整理収納することができ、また、紛失しやすい結合ピンを単体で整理収納することができるソケットホルダーを明らかにするものである。【解決手段】レールと、弾性材料を成形して形成し、前記レールにスライド可能に係止したホールド部から構成され、前記ホールド部は前記レールに係止される基台部と、前記基台部に一体に成形された四角凸部を備えていることとするソケットホルダーにおいて、前記凸部上面に、直行する二本の基台部方向の溝を形成し、前記溝の一方又は両方の底部に結合ピンの係止部を備える。【選択図】図１
2009119534.tif 000002
【特許請求の範囲】
【請求項１】
レールと、弾性材料を成形して形成され前記レールにスライド可能に係止されたホールド部とからなり、前記ホールド部は前記レールに係止される基台部と、前記基台部に一体に成形されたソケットの四角凹部に嵌合する四角凸部を備えているソケットホルダーであって、
前記凸部上面には、直交する二本の基台部方向の溝が形成され、前記溝の一方又は両方の底部に、結合ピンの係止部を備えたことを特徴とするソケットホルダー。
【発明の詳細な説明】
【技術分野】
【０００１】
本発明は、レンチ用ソケット等の四角凹部を備えた工具を整理収納するためのソケットホルダーに関するものである。
【背景技術】
【０００２】
締緩対象のボルト・ナットのサイズに合わせてソケットを選択し、交換して使用するソケットレンチが広く一般的に使用されているとともに、使用しないソケットを整理収納するためのソケットホルダーも多数存在している。また、通常のソケットと、一般に動力工具用として提供される結合ピンによりレンチと結合するソケットの両方に対応したソケットホルダーが開示されている。
【特許文献１】実開平５−３１８８３号公報
【特許文献２】特開２００２−６６９４２号公報
【０００３】
一般に、手動用のソケットは動力工具に使用してはならないが、動力工具用のソケットを手動用のレンチに使用することは問題が無く、作業効率を高めるために共用されることも多い。例えば、インパクトレンチで自動車のホイールナットを締め付けた後、トルクレンチで増し締めを行う場合などである。その際、手動用レンチの差込角には結合ピンを挿通させる貫通孔が無いため結合ピンは使用されず、どこかに置いて作業を進めなければならないが、結合ピンはとても小さく紛失しやすい。また、結合ピンはソケットのサイズに合わせたものを使用しなければならないが、一見しただけではどのソケットに適合する結合ピンなのか区別が付かないため、できる限りソケットと結合ピンをセットで保管する必要がある。
【発明の開示】
【発明が解決しようとする課題】
【０００４】
本発明が解決しようとする課題は、前述の通り紛失しやすい結合ピンを整理収納することができるソケットホルダーを明らかにするものである。
【課題を解決するための手段】
【０００５】
前記課題を解決するため本発明のソケットホルダーは、レールと、弾性材料を成形して形成し、前記レールにスライド可能に係止したホールド部から構成され、前記ホールド部は前記レールに係止される基台部と、前記基台部に一体に成形された四角凸部を備えていることとするソケットホルダーにおいて、前記凸部上面に、直行する二本の基台部方向の溝を形成し、前記溝の一方又は両方の底部に結合ピンの係止部を備えることを特徴とする。
【発明の効果】
【０００６】
本発明のソケットホルダーは、結合ピンを装着したソケットと装着していないソケットの両方を整理収納することができ、また、結合ピンを単体でホールド部に収納することができるため、結合ピンの紛失を防止することができる。
【発明を実施するための最良の形態】
【０００７】
以下、本発明の実施例について説明する。図１は本実施例のソケットホルダー１の構成と使用例を表す斜視図である。ソケットホルダー１は、棒８，８を並列して構成されたレール２にホールド部３をスライド可能に係止するとともに、レール２の両端にストッパー９、９を配置して構成される。図１にはホールド部３を三個配置して表されるが、レール２の長さや収納するソケットの数量に合わせて、ホールド部３の数量は適時選択可能である。
【０００８】
ストッパー９，９はレール２の両端に着脱可能に固定され、ホールド部３がレール２の端から抜け落ちるのを防ぐとともに、ソケットホルダー１の足としての機能も有している。すなわち、ストッパー９，９の底面はホールド部３の底面よりも若干下に張り出し、平面上に置いたとき、ストッパー９，９の底面が接地してホールド部３の底面は若干浮いた状態となるよう調整することで、ソケットホルダー１をわざわざ持ち上げなくても、机などの平面上に置いたままでホールド部３をスライド移動することが可能である。
【０００９】
なお、ソケットホルダー１の構成は当業者が容易に想到する種々の変更を施しても構わない。例えば、レール２を一定の長さを有する薄板状のものに変更するとともに穴７，７を対応する形状に変更する、穴７，７を溝形状に変更するとともに弾性を利用してレール２に係止する等が考えられる。また、ストッパー９，９を設けないあるいはレール２と一体に形成することも可能であり、ホールド部３の底面を平面に接地させて接触面を増やし、安定して接地できるようにすることも可能である。
【００１０】
図２から図５はホールド部３を表す図であり、図２は正面図、図３は平面図、図４は側面図、図５は斜視図である。ホールド部３は、略カマボコ形状で棒８，８が挿通される穴７，７が開設された基台部４と、基台部４の上部に一体に成形された凸部５からなる。凸部５はソケットの四角孔に対応する上面一対の対向する二辺が大きく面取りされた略四角柱形状に形成され、さらに上面から軸方向に上面中心で直交する二本の溝１０，１１が形成されている。したがって凸部５は溝１０，１１により分断され、見かけ上は四本の突起に表されている。
【００１１】
また、凸部５の前記大きく面取りされた部分は、側面方向に若干張り出してそれぞれソケット係止部１４，１４を形成している。ソケット係止部１４，１４は、凸部５の一対の対面に設けられ、さらに溝１１により分断されているため、見かけ上は四ヶ所の張り出し部に表されている。なお、ソケット係止部１４を凸部５の四側面に設けることで、ソケットとの係止力をより強くすることができる。
【００１２】
溝１０は凸部５の上面の面取りされていない対辺間に形成され、溝深さは基台部４に達しない。一方、溝１１は凸部５の上面の面取りされた対辺間に形成され、溝深さは基台部４に達し、最深部にはピン保持部１２が設けられている。結果としてピン保持部１２は、基台部４の平面上長辺方向中央部に短辺方向に縦断する溝として形成され、当該溝の中央付近には突起１３，１３が設けられている。
【００１３】
なお、溝１０，１１の溝深さはこの組み合わせに限るものではなく、溝１１が基台部４に達しない深さとするとともに溝１０が基台部４に達する深さとして最深部にピン保持部１２を設ける、あるいは溝１０，１１の双方を基台部４に達する深さとするとともに双方の最深部にピン保持部１２を設ける等の種々の改良を施し得ることは言うまでもない。
【００１４】
なお、ホールド部３は加工の容易性、製造コスト等の面からプラスチックを成形して形成することが望ましいが、例えばゴムやウレタン等、ホールド部３の形状を形成したときにソケットが簡単に抜け落ちてしまわない程度の弾性を有したその他の材料を使用しても構わない。また、成形にあたっては射出成形、切削加工等、どのような方法を用いても構わない。また、穴７の大きさは、ホールド部３にソケットを装着し、ソケットホルダー１を傾けてもホールド部３が勝手に移動することがない程度に、棒８との間に若干の抵抗が残るよう設定することが望ましい。
【００１５】
このようにして構成されるソケットホルダー１について、ソケット２０を整理収納する手順と作用効果について説明する。図６および図７は、ソケット２０をホールド部３に装着した状態を示す断面図であり、同一の状態で視点を９０度移動させたものである。ソケット２０は、レンチ本体と嵌合する四角孔である差込孔２１を備え、差込孔２１を軸線と直交する方向で差込孔２１の中央を貫通する結合ピン２２と、結合ピン２２の抜け落ちを防止するため差込孔２１外周に嵌着されるリング２３が装着されている。
【００１６】
差込孔２１を凸部５に差し込むと、ソケット係止部１４が差込孔２１の内面に接触し、凸部５の材料による弾性変形により、もしくは溝１１が設けられているためソケット係止部１４がばね状に弾性変形することにより、またはその両方により、ソケット２０がホールド部３に係止される。
【００１７】
また、結合ピン２２は溝１０内に収容され、凸部５と干渉することなくソケット２０を装着することができる。また、ソケット２０を９０度回転させて装着しようとしても、結合ピン２２は溝１１内に収容されるため、使用者は通常のソケットと同じように差込孔２１と凸部５の両四角形状を合わせる作業のみで、差込方向を注意する必要は無い。
【００１８】
本実施例のソケットホルダー１は、図１に記載される中央のホールド部３に表されるように、結合ピン２２をピン保持部１２に保持収納することができる。ソケット２０から取り外した結合ピン２２はピン保持部１２に収納され、収納された結合ピン２２は、ピン保持部１２内の突起１３，１３の弾性変形により係止されるため、簡単に抜け落ちることがない。
【００１９】
なお、凸部５にソケット２０を装着した状態で、同時に結合ピン２２をピン保持部１２に収納するため、ピン保持部１２は、溝１１を凸部５に装着したソケット２０の下端より深い位置に達するよう形成し、ピン保持部１２に装着した結合ピン２２がソケット２０の下端と干渉しない程度に位置させることが望ましい。そうすれば、ソケットと結合ピンを同じホールド部に同時に収納することができるため、ソケットと結合ピンの組合せを保ったまま収納保存が可能であり、使用時にソケットと結合ピンの組合せを誤ることを防止することができる。
【００２０】
また、以上に示した実施例は、あくまでも例示であり、本件発明の実施方法を限定するものではなく、当業者であれば用意に考え付く種々の改良を施した状態で実施し得るものである。
【図面の簡単な説明】
【００２１】
【図１】ソケットホルダー１の使用例を表す斜視図である。
【図２】ホールド部３の正面図である。
【図３】ホールド部３の平面図である。
【図４】ホールド部３の側面図である。
【図５】ホールド部３の斜視図である。
【図６】ホールド部３にソケット２０を装着した状態を示す断面図である。
【図７】ホールド部３にソケット２０を装着した状態を示す断面図である。
【符号の説明】
【００２２】
２  レール
３  ホールド部
４  基台部
５  凸部
９  ストッパー
１２  ピン保持部
１３  突起
１４  ソケット係止部
２０  ソケット
２１  差込孔
２２  結合ピン
２３  リング
【図１】
2009119534.tif 000003
【図２】
2009119534.tif 000004
【図３】
2009119534.tif 000005
【図４】
2009119534.tif 000006
【図５】
2009119534.tif 000007
【図６】
2009119534.tif 000008
【図７】
2009119534.tif 000009